(57)【要約】【課題】複数の液晶パネルの温度上昇を確実に平均化することのできる光学ユニット、および該光学ユニットを備えた投射型表示装置を提供すること。【解決手段】投射型表示装置に用いる光学ユニット９は、プリズムユニット２０、第１電気光学モジュール１０（Ｂ）、第２電気光学モジュール１０（Ｇ）、および第３電気光学モジュール１０（Ｒ）に加えて、第１電気光学モジュール１０（Ｂ）、第２電気光学モジュール１０（Ｇ）、および第３電気光学モジュール１０（Ｒ）に連結して第１電気光学モジュール１０（Ｂ）、第２電気光学モジュール１０（Ｇ）、および第３電気光学モジュール１０（Ｒ）を冷却するダクト８１０からなる冷却部材８００を有している。【選択図】図７
2012088590.tif 000002
【特許請求の範囲】
【請求項１】
光出射面、該光出射面に連接する第１面、該第１面に連接し、前記光出射面に対向する第２面、および該第２面と前記光出射面とに連接し、前記第１面に対向する第３面を備えたプリズムと、
前記第１面に対向する第１液晶パネルを備えた第１電気光学モジュールと、
前記第２面に対向する第２液晶パネルを備えた第２電気光学モジュールと、
前記第３面に対向する第３液晶パネルを備えた第３電気光学モジュールと、
前記第１電気光学モジュール、前記第２電気光学モジュールおよび前記第３電気光学モジュールに連結して前記第１電気光学モジュール、前記第２電気光学モジュールおよび前記第３電気光学モジュールを冷却する冷却部材と、
を有していることを特徴とする光学ユニット。
【請求項２】
前記冷却部材は、前記第１電気光学モジュール、前記第２電気光学モジュールおよび前記第３電気光学モジュールの全てに連結されていることを特徴とする請求項１に記載の光学ユニット。
【請求項３】
前記冷却部材は、前記第１電気光学モジュールと前記第２電気光学モジュールとに連結された第１冷却部材と、前記第２電気光学モジュールと前記第３電気光学モジュールとに連結された第２冷却部材と、を備えていることを特徴とする請求項１に記載の光学ユニット。
【請求項４】
前記冷却部材は、冷却用空気が通るダクトであることを特徴とする請求項１に記載の光学ユニット。
【請求項５】
前記冷却部材は、放熱フィンを備えた放熱部材であることを特徴とする請求項１に記載の光学ユニット。
【請求項６】
前記冷却部材は、ペルチェ素子を備えた冷却体であることを特徴とする請求項１に記載の光学ユニット。
【請求項７】
請求項１乃至６の何れか一項に記載の光学ユニットを備えた投射型表示装置であって、
前記第１電気光学モジュール、前記第２電気光学モジュール、および前記第３電気光学モジュールに供給される光を出射する光源部と、
前記第１電気光学モジュール、前記第２電気光学モジュール、および前記第３電気光学モジュールによって変調された光を投射する投射光学系と、
を有していることを特徴とする投射型表示装置。
【発明の詳細な説明】
【技術分野】
【０００１】
本発明は、プリズムの３面に電気光学モジュールが配置された光学ユニット、および該光学ユニットを備えた投射型表示装置に関するものである。
【背景技術】
【０００２】
投射型表示装置では、赤色（Ｒ）、緑色（Ｇ）、青色（Ｒ）の各々に対応して３つの液晶パネルが設けられており、各液晶パネルから出射された変調光をプリズムで合成して投射光学系を介して投射する。ここで、液晶パネルはフレームに収容された電気光学モジュールとしてプリズムの各面に対向するように配置された光学ユニットとして投射型表示装置に搭載されている（特許文献１、２参照）。
【０００３】
ここで、液晶パネルには強力な光が入射するため、温度上昇しやすく、かかる温度上昇は、液晶パネルでの変調特性を低下させる。このため、特許文献２に記載の投射型表示装置では、フレームに対して放熱部材を取り付けた構造が提案されている。
【先行技術文献】
【特許文献】
【０００４】
【特許文献１】特開２００２−２２９１２１号公報
【特許文献２】特開２００９−５３５８８号公報
【発明の概要】
【発明が解決しようとする課題】
【０００５】
投射型表示装置では、３つの液晶パネルで変調光をプリズムで合成して投射光学系を介して投射するため、３つの液晶パネルでの温度上昇に起因する変調特性が相違すると、投射画像の品位が低下してしまう。しかるに特許文献１に記載の構成では、液晶パネル毎に放熱部材を設けてあるため、３つの液晶パネルにおける温度上昇に起因する変調特性のばらつきを防止することができないという問題点がある。
【０００６】
以上の問題点に鑑みて、本発明の課題は、複数の液晶パネルの温度上昇を確実に平均化することのできる光学ユニット、および該光学ユニットを備えた投射型表示装置を提供することにある。
【課題を解決するための手段】
【０００７】
上記課題を解決するために、本発明の光学ユニットは、光出射面、該光出射面に連接する第１面、該第１面に連接し、前記光出射面に対向する第２面、および該第２面と前記光出射面とに連接し、前記第１面に対向する第３面を備えたプリズムと、前記第１面に対向する第１液晶パネルを備えた第１電気光学モジュールと、前記第２面に対向する第２液晶パネルを備えた第２電気光学モジュールと、前記第３面に対向する第３液晶パネルを備えた第３電気光学モジュールと、前記第１電気光学モジュール、前記第２電気光学モジュールおよび前記第３電気光学モジュールに連結して前記第１電気光学モジュール、前記第２電気光学モジュールおよび前記第３電気光学モジュールを冷却する冷却部材と、を有していることを特徴とする。
【０００８】
本発明に係る光学ユニットは、第１電気光学モジュール、第２電気光学モジュール、および第３電気光学モジュールを有しているとともに、これらの電気光学モジュールに連結して複数の電気光学モジュールを冷却する冷却部材を有しているため、冷却部材は、複数の電気光学モジュールの温度を均等化する。このため、液晶パネルにおいて温度上昇に起因する変調特性の変化が発生しても、かかる変化は、第１液晶パネル、第２液晶パネル、および第３液晶パネルにおいて同等である。それ故、第１液晶パネル、第２液晶パネル、および第３液晶パネルで変調光をプリズムで合成して投射光学系を介して投射した際、液晶パネルの温度上昇に起因する表示品位の低下を防止することができる。
【０００９】
本発明において、前記冷却部材は、前記第１電気光学モジュール、前記第２電気光学モジュールおよび前記第３電気光学モジュールの全てに連結されていることが好ましい。このように構成すると、冷却部材は、第１電気光学モジュール、第２電気光学モジュールおよび第３電気光学モジュールの温度を均等化する。
【００１０】
本発明において、前記冷却部材は、前記第１電気光学モジュールと前記第２電気光学モジュールとに連結された第１冷却部材と、前記第２電気光学モジュールと前記第３電気光学モジュールとに連結された第２冷却部材と、を備えている構成を採用してもよい。このように構成すると、第１冷却部材は、第１電気光学モジュールおよび第２電気光学モジュールの温度を均等化し、第２冷却部材は、第２電気光学モジュールおよび第３電気光学モジュールの温度を均等化する。その結果、第１電気光学モジュール、第２電気光学モジュールおよび第３電気光学モジュールの温度が均等化される。
【００１１】
本発明において、前記冷却部材は、例えば、冷却用空気が通るダクトである。
【００１２】
本発明において、前記冷却部材は、放熱フィンを備えた放熱部材である構成を採用することができる。
【００１３】
本発明において、前記冷却部材は、ペルチェ素子を備えた冷却体である構成を採用してもよい。
【００１４】
本発明を適用した光学ユニットを備えた投射型表示装置は、前記第１電気光学モジュール、前記第２電気光学モジュール、および前記第３電気光学モジュールに供給される光を出射する光源部と、前記第１電気光学モジュール、前記第２電気光学モジュール、および前記第３電気光学モジュールによって変調された光を投射する投射光学系と、を有している。
【図面の簡単な説明】
【００１５】
【図１】本発明を適用した投射型表示装置の説明図である。
【図２】本発明を適用した投射型表示装置に用いた光学ユニットの概略構成を示す説明図である。
【図３】本発明を適用した投射型表示装置に用いた光学ユニットの詳細構成を示す説明図である。
【図４】本発明を適用した投射型表示装置に用いた光学ユニットにおいて、液晶パネルを光合成用のプリズム（プリズムユニット）に取り付けた様子を示す説明図である。
【図５】本発明を適用した投射型表示装置の光学ユニットに用いた第１電気光学モジュールの説明図である。
【図６】本発明を適用した投射型表示装置の光学ユニットに用いた別の第１電気光学モジュールの説明図である。
【図７】本発明の実施の形態１に係る光学ユニットの説明図である。
【図８】本発明の実施の形態１の変形例１に係る光学ユニットの説明図である。
【図９】本発明の実施の形態１の変形例２に係る光学ユニットの説明図である。
【図１０】本発明の実施の形態２に係る光学ユニットの説明図である。
【図１１】本発明の実施の形態３に係る光学ユニットの説明図である。
【図１２】本発明の実施の形態４に係る光学ユニットの説明図である。
【発明を実施するための形態】
【００１６】
図面を参照して、本発明の実施の形態を説明する。なお、各実施の形態に係る光学ユニットを説明する前に各実施の形態で共通な投射型表示装置の構成を説明する。また、以下の説明で参照する図においては、各層や各部材を図面上で認識可能な程度の大きさとするため、各部材毎に縮尺を異ならしめてある。
【００１７】
［投射型表示装置の構成］
（投射型表示装置の全体構成）
図１は、本発明を適用した投射型表示装置の説明図であり、図１（ａ）、（ｂ）は、投射型表示装置の主要部分の平面的な構成を示す説明図、および主要部分を側方からみたときの説明図である。図２は、本発明を適用した投射型表示装置に用いた光学ユニットの概略構成を示す説明図である。
【００１８】
図１に示す投射型表示装置１において、外装ケース２の内部には、その後端側に電源ユニット７が配置され、電源ユニット７に装置前側で隣り合う位置に光源ランプユニット８（光源部）および光学ユニット９が配置されている。また、外装ケース２の内部には、光学ユニット９の前側の中央に投射レンズユニット６（投射光学系）の基端側が位置している。光学ユニット９の一方の側には、入出力インターフェース回路が搭載されたインターフェース基板１１が装置前後方向に向けて配置され、インターフェース基板１１に平行に、ビデオ信号処理回路が搭載されたビデオ基板１２が配置されている。光源ランプユニット８および光学ユニット９の上側には、装置駆動制御用の制御基板１３が配置され、装置前端側の左右の角には、それぞれスピーカー１４Ｒ、１４Ｌが配置されている。
【００１９】
光学ユニット９の上方および下方には装置内部冷却用の吸気ファン１５Ａ、１５Ｂが配置されている。また、光源ランプユニット８の裏面側である装置側面には排気ファン１６が配置されている。さらに、インターフェース基板１１およびビデオ基板１２の端に面する位置には、吸気ファン１５Ａからの冷却用空気流を電源ユニット７内に吸引するための補助冷却ファン１７が配置されている。これらのファンのうち、吸気ファン１５Ｂは、主に後述する液晶パネルの冷却用ファンとして機能している。
【００２０】
図２において、光学ユニット９を構成する各光学素子（要素）は、色光合成手段を構成しているプリズムユニット２０（プリズム）を含めて、ＭｇやＡｌ等の金属からなる上ライトガイド８０または下ライトガイド９０により支持されている。上ライトガイド８０および下ライトガイド９０は、アッパーケース３およびロアーケース４に固定ねじにより固定されている。
【００２１】
（光学ユニット９の詳細構成）
図３は、本発明を適用した投射型表示装置に用いた光学ユニット９の詳細構成を示す説明図である。図３に示すように、光学ユニット９は、光源ランプ８５と、均一照明光学素子であるインテグレーターレンズ９２１、９２２を有する照明光学系９２３と、この照明光学系９２３から出射される光束Ｗを、赤、緑、青の各光束Ｒ、Ｇ、Ｂに分離する色光分離光学系９２４とを有している。また、光学ユニット９は、各色光束を変調する電気光学パネル（ライトバルブ）としての３枚の透過型の液晶パネル４０（Ｒ）、４０（Ｇ）、４０（Ｂ）と、変調された色光束を合成する色光合成光学系としての立方体形状のプリズムユニット２０と、合成された光束を投射面上に拡大投射する投射レンズユニット６とを有している。また、色光分離光学系９２４によって分離された各色光束のうち、青色光束Ｂを対応する液晶パネル４０（Ｂ）に導くリレー光学系９２７を備えている。
【００２２】
照明光学系９２３は、さらに、反射ミラー９３１を備えており、光源ランプ８５からの出射光の光軸１ａを装置前方向に向けて直角に折り曲げるようにしている。この反射ミラー９３１を挟み、インテグレーターレンズ９２１、９２２が前後に直交する状態に配置されている。
【００２３】
色光分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、この青緑反射ダイクロイックミラー９４１を通過して、後方の反射ミラー９４３で直角に反射されて、赤色光束の出射部９４４から色光合成光学系の側に出射される。次に、緑反射ダイクロイックミラー９４２において、青緑反射ダイクロイックミラー９４１において反射された青および緑の光束Ｂ、Ｇのうち、緑色光束Ｇのみが直角に反射されて、緑色光束の出射部９４５から色光合成光学系の側に出射される。緑反射ダイクロイックミラー９４２を通過した青色光束Ｂは、青色光束の出射部９４６からリレー光学系９２７の側に出射される。本形態では、照明光学系９２３の光束の出射部から色光分離光学系９２４における各色光束の出射部９４４、９４５、９４６までの距離が、全てほぼ等しくなるように設定されている。
【００２４】
色光分離光学系９２４の赤色光束および緑色光束の出射部９４４、９４５の出射側には、それぞれ集光レンズ９５１、９５２が配置されている。したがって、各出射部から出射した赤色光束および緑色光束は、これらの集光レンズ９５１、９５２に入射して平行化される。
【００２５】
平行化された赤色および緑色の光束Ｒ、Ｇは、偏光板６０（Ｒ）、６０（Ｇ）によって偏光方向が揃えられた後、液晶パネル４０（Ｒ）、４０（Ｇ）に入射して変調され、各色光に対応した画像情報が付加される。すなわち、これらの液晶パネル４０（Ｒ）、４０（Ｇ）は、図示していない駆動手段によって画像情報に対応する画像信号によってスイッチング制御され、これにより、ここを通過する各色光の変調が行われる。このような駆動手段は、公知の手段をそのまま使用することができる。
【００２６】
一方、青色光束Ｂは、リレー光学系９２７を介し、さらに、偏光板６０（Ｂ）によって偏光方向が揃えられた後、対応する液晶パネル４０（Ｂ）に導かれて、ここにおいて、同様に画像情報に応じて変調が施される。リレー光学系９２７は、集光レンズ９７４と入射側反射ミラー９７１と、出射側反射ミラー９７２と、これらのミラー間に配置した中間レンズ９７３と、液晶パネル４０（Ｂ）の手前側に配置した集光レンズ９５３から構成される。各色光束の光路の長さ、すなわち、光源ランプ８５から各液晶パネルまでの距離は、青色光束Ｂが最も長くなり、したがって、この光束の光量損失が最も多くなる。しかし、リレー光学系９２７を介在させることにより、光量損失を抑制できる。
【００２７】
各液晶パネル４０（Ｒ）、４０（Ｇ）、４０（Ｂ）を通って変調された各色光束は、偏光板６１（Ｒ）、６１（Ｇ）、６１（Ｂ）に入射し、これを透過した光がプリズムユニット２０（クロスダイクロイックプリズム）に入射して合成される。ここで合成されたカラー画像は、投射レンズ系を備えた投射レンズユニット６を介して、所定の位置にあるスクリーン等の被投射面７０上に拡大投射される。
【００２８】
（液晶パネルのプリズムへの取り付け構造）
図４は、本発明を適用した投射型表示装置１に用いた光学ユニット９において、液晶パネル４０（Ｒ）、４０（Ｇ）、４０（Ｂ）を光合成用のプリズム（プリズムユニット２０）に取り付けた様子を示す説明図であり、図４（ａ）、（ｂ）はその斜視図、および平面図である。
【００２９】
図４に示すように、投射型表示装置１の光学ユニット９において、プリズムユニット２０は、６つの面を有する立方体であり、光出射面としての光出射面２６と、光出射面２６に連接する第１面２１と、この第１面２１に連接し、光出射面２６に対向する第２面２２と、および第２面２２と光出射面２６とに連接し、第１面２１に対向する第３面２３とを備えている。また、光学ユニット９は、第１液晶パネルとしての液晶パネル４０（Ｂ）を補強用のフレーム５０に保持した第１電気光学モジュール１０（Ｂ）と、第２液晶パネルとしての液晶パネル４０（Ｇ）を補強用のフレーム５０に保持した第２電気光学モジュール１０（Ｇ）と、第３液晶パネルとしての液晶パネル４０（Ｒ）を補強用のフレーム５０に保持した第３電気光学モジュール１０（Ｒ）とを備えている。ここで、第１電気光学モジュール１０（Ｂ）は、液晶パネル４０（Ｂ）がプリズムユニット２０の第１面２１に対向するように配置され、第２電気光学モジュール１０（Ｇ）は、液晶パネル４０（Ｇ）がプリズムユニット２０の第２面２２に対向するように配置され、第３電気光学モジュール１０（Ｒ）は、液晶パネル４０（Ｒ）がプリズムユニット２０の第３面２３に対向するように配置されている。
【００３０】
なお、プリズムユニット２０には、偏光板６１（Ｂ）が固着されているため、第１電気光学モジュール１０（Ｂ）は、偏光板６１（Ｂ）を介してプリズムユニット２０に取り付けられた状態、あるいは偏光板６１（Ｂ）より外側部分でプリズムユニット２０に直接、取り付けられた状態にある。また、第１電気光学モジュール１０（Ｂ）において、プリズムユニット２０に固着される側とは反対側の端面には偏光板６０（Ｂ）が固着されている。
【００３１】
第１電気光学モジュール１０（Ｂ）において、液晶パネル４０（Ｂ）は、画素電極や画素トランジスターが形成された素子基板４０ｅと、共通電極が形成された対向基板４０ｆとがシール材（図示せず）によって所定の隙間を介して貼り合わされ、素子基板４０ｅと対向基板４０ｆとの間において、シール材で囲まれた領域内に液晶層（図示せず）が保持されている。また、液晶パネル４０（Ｂ）では、素子基板４０ｅの外面側および対向基板４０ｆの外面側に防塵ガラス４０ｓ、４０ｔが各々貼付されている。素子基板４０ｅは、対向基板４０ｆよりサイズが大きく、対向基板４０ｆの端部から張り出した張出部を有している。本形態では、かかる素子基板４０ｅの張出部に対して、配線部材としてのフレキシブル配線基板４０ｉが接続されている。フレキシブル配線基板４０ｉは、フレーム５０の内部から外部に引き出され、制御部等に接続されている。本形態において、液晶パネル４０（Ｂ）は、対向基板４０ｆが光入射側に配置され、素子基板４０ｅが光出射側に配置されている。但し、素子基板４０ｅが光入射側に配置され、対向基板４０ｆが光出射側に配置されていてもよい。
【００３２】
なお、第２電気光学モジュール１０（Ｇ）および第３電気光学モジュール１０（Ｒ）は、第１電気光学モジュール１０（Ｂ）と同様な構造になっているため、それらの説明を省略する。
【００３３】
（フレーム５０の構成例）
図５は、本発明を適用した投射型表示装置１の光学ユニット９に用いた第１電気光学モジュール１０（Ｂ）の説明図であり、図５（ａ）、（ｂ）は、第１電気光学モジュール１０（Ｂ）を光入射側（対向基板４０ｆの側）からみた斜視図、および分解斜視図である。
【００３４】
図５に示すように、第１電気光学モジュール１０（Ｂ）において、フレーム５０は、例えば、２つの板状部材５８、５９によって構成されており、かかる板状部材５８、５９には矩形の開口部５８１ａ、５９１ａが形成されている。ここで、板状部材５８では、矩形枠状の本体部分５８１に液晶パネル４０（Ｂ）が嵌る凹部５８４が形成されている。また、板状部材５８において、相対向する２つの側端部には突起５８２が各々形成されている。これに対して、板状部材５９では、矩形枠状の本体部分５９１において相対向する２つの側端部にはフック５９２が各々形成されている。従って、板状部材５８の凹部５８４に液晶パネル４０（Ｂ）を配置した後、板状部材５９を重ねるとともに、フック５９２を突起５８２に係合させれば、２つの板状部材５８、５９を連結でき、フレーム５０に液晶パネル４０（Ｂ）が収容された第１電気光学モジュール１０（Ｂ）が構成される。ここで、フレーム５０には、後述する冷却部材を連結するためのねじ穴５８１ｃが形成されている。なお、フレーム５０では、２つの板状部材５８、５９をネジ等で連結した構造が採用されることもある。
【００３５】
本形態の光学ユニット９において、第２電気光学モジュール１０（Ｇ）および第３電気光学モジュール１０（Ｒ）は、第１電気光学モジュール１０（Ｂ）と同様な構造になっているため、それらの説明を省略する。
【００３６】
（フレーム５０の別の構成例）
図６は、本発明を適用した投射型表示装置１の光学ユニット９に用いた別の第１電気光学モジュール１０（Ｂ）の説明図であり、図６（ａ）、（ｂ）、（ｃ）は、第１電気光学モジュール１０（Ｂ）を光入射側（対向基板４０ｆ）からみた斜視図、光出射側（素子基板４０ｅの側）からみた斜視図、および平面図である。なお、図６では、光源部から液晶パネル４０（Ｂ）に入射する光を矢印Ｌ１で示し、液晶パネル４０（Ｂ）から出射される変調後の光を矢印Ｌ２で示してある。また、図６では、フレーム５０に対する液晶パネル４０（Ｂ）の挿入方向を矢印Ｓで示してある。
【００３７】
図６に示す第１電気光学モジュール１０（Ｂ）は、透過型の液晶パネル４０（Ｂ）と、液晶パネル４０（Ｂ）の周りを囲むフレーム５０とを有しており、フレーム５０は、直方体形状を有している。より具体的には、フレーム５０は、液晶パネル４０（Ｂ）から光が出射される側（素子基板４０ｅの側）に位置する前板部５２と、液晶パネル４０（Ｂ）に光が入射する側（対向基板４０ｆの側）で前板部５２に対向する後板部５１とを有している。また、フレーム５０は、液晶パネル４０（Ｂ）の側端部に対向する４つの側面で前板部５２と後板部５１とを連結する複数の側板部を有しており、本形態において、フレーム５０は４つの側面の各々に側板部（第１側板部５３、第２側板部５４、第３側板部５５、および第４側板部５６）を有している。このため、フレーム５０は大きな強度を有している。
【００３８】
フレーム５０において、前板部５２には、液晶パネル４０（Ｂ）の画像表示領域に重なる矩形の光出射窓５２０が形成され、後板部５１には、液晶パネル４０（Ｂ）の画像表示領域に重なる矩形の光入射窓５１０が形成されている。このため、前板部５２は、光出射窓５２０の周りを囲む矩形枠状に形成され、後板部５１は、光入射窓５１０の周りを囲む矩形枠状に形成されている。従って、後板部５１は、液晶パネル４０（Ｂ）の端部への光の入射等を阻止する見切りとして機能し、前板部５２は、液晶パネル４０（Ｂ）の端部からの迷光の出射等を阻止する見切りとして機能する。
【００３９】
フレーム５０では、４つの側板部（第１側板部５３、第２側板部５４、第３側板部５５、および第４側板部５６）のうち、第１側板部５３には凸形状の開口部５３０が形成されており、第１側板部５３は、開口部５３０を囲む矩形枠状に形成されている。開口部５３０は、液晶パネル４０（Ｂ）をフレーム５０の内部に挿入するためのパネル挿入用開口部５０１として利用される。また、開口部５３０は、液晶パネル４０（Ｂ）において素子基板４０ｅの端部に接続されたフレキシブル配線基板４０ｉをフレーム５０の内部から外部に引き出すための配線部材引出用開口部としても利用されている。また、第１側板部５３の内周縁には、液晶パネル４０（Ｂ）の厚さ方向の略中央位置で内側に向けて突出する凸部５３６、５３７が形成されている。
【００４０】
また、フレーム５０において前板部５２の外面は、図４を参照して説明したプリズムユニット２０への固定面等として利用され、フレーム５０において後板部５１の外面は、図４を参照して説明した偏光板６０（Ｂ）と固着される固着面等として利用される。
【００４１】
かかる構成のフレーム５０は、例えば、アルミニウムやＳＵＳ等からなる１枚の金属板を折り曲げて形成したものであり、フレーム５０は、全体が同一材料からなる。なお、フレーム５０については、複数の金属板を折り曲げた後、接合することによっても形成できる。
【００４２】
このように構成したフレーム５０を用いて第１電気光学モジュール１０（Ｂ）を構成するには、矢印Ｓで示すように、まず、液晶パネル４０（Ｂ）においてフレキシブル配線基板４０ｉが接続されている側とは反対側の側端部を先頭に液晶パネル４０（Ｂ）をパネル挿入用開口部５０１からフレーム５０の内部に挿入する。その際、液晶パネル４０（Ｂ）は、素子基板４０ｅおよび防塵ガラス４０ｓが、パネル挿入用開口部５０１のうち、前板部５２が位置する側を通過する。また、液晶パネル４０（Ｂ）は、対向基板４０ｆおよび防塵ガラス４０ｔが、パネル挿入用開口部５０１のうち、凸部５３６、５３７が形成されている部分、および凸部５３６、５３７より前板部５２が位置する。なお、液晶パネル４０（Ｂ）においてフレキシブル配線基板４０ｉが接続されている側の側端部を先頭に液晶パネル４０（Ｂ）をパネル挿入用開口部５０１からフレーム５０の内部に挿入する場合、第３側板部５５にフレキシブル配線基板４０ｉを引き出すスリット状の開口部を形成しておけばよい。
【００４３】
しかる後には、フレーム５０に液晶パネル４０（Ｂ）を光硬化性の接着剤５７で固定する。より具体的には、例えば、液晶パネル４０（Ｂ）の側端部のうち、フレキシブル配線基板４０ｉが接続されている側とは反対側の側端部と、フレーム５０の第３側板部５５の内面とを接着剤５７により固定する。また、液晶パネル４０（Ｂ）の側端部のうち、フレキシブル配線基板４０ｉが接続されている側の側端部と凸部５３６、５３７との間でも、接着剤５７による接着を行う。
【００４４】
かかる構成のフレーム５０によれば、液晶パネル４０（Ｂ）を保持する前、予め直方体形状に形成されており、フレーム５０の４つの側面のうち、１つの側面（第１側板部５３）にはパネル挿入用開口部５０１（開口部５３０）が設けられている。このため、パネル挿入用開口部５０１からフレーム５０内に液晶パネル４０（Ｂ）を挿入した後、液晶パネル４０（Ｂ）をフレーム５０に固定するだけで、第１電気光学モジュール１０（Ｂ）を構成できる。従って、第１電気光学モジュール１０（Ｂ）を効率よく製造できるので、製造コストを低減することができる。また、フレーム５０は、直方体形状に一体に形成されたものであるため、フック等を必要としない。また、フレーム５０は、１枚の板状部材や、同一の材料からなる複数の板状部材を加工してなり、全体が同一材料からなる。それ故、フレーム５０を安価に製造することができる。
【００４５】
なお、第２電気光学モジュール１０（Ｇ）および第３電気光学モジュール１０（Ｒ）は、第１電気光学モジュール１０（Ｂ）と同様な構造になっているため、それらの説明を省略する。
【００４６】
［実施の形態１］
図７は、本発明の実施の形態１に係る光学ユニット９の説明図であり、図７（ａ）、（ｂ）、（ｃ）はその斜視図、横断面図、および縦断面図である。
【００４７】
図７（ａ）に示す光学ユニット９は、図４等を参照して説明したプリズムユニット２０、第１電気光学モジュール１０（Ｂ）、第２電気光学モジュール１０（Ｇ）および第３電気光学モジュール１０（Ｒ）に加えて、第１電気光学モジュール１０（Ｂ）、第２電気光学モジュール１０（Ｇ）および第３電気光学モジュール１０（Ｒ）に連結する冷却部材８００を備えている。本形態において、冷却部材８００は、第１電気光学モジュール１０（Ｂ）、第２電気光学モジュール（Ｇ）および第３電気光学モジュール（Ｒ）の全てに連結されたダクト８１０であり、ダクト８１０の内部には、図１に示す吸気ファン１５Ｂ等により、図７に矢印Ａで示す冷却空気が流れるようになっている。
【００４８】
本形態において、ダクト８１０は、第１電気光学モジュール１０（Ｂ）、第２電気光学モジュール１０（Ｇ）および第３電気光学モジュール１０（Ｒ）に対して上下方向から被さる上板部分８１１と下板部分８１２とから構成されており、上板部分８１１および下板部分８１２は各々、第１電気光学モジュール１０（Ｂ）、第２電気光学モジュール１０（Ｇ）および第３電気光学モジュール１０（Ｒ）に用いたフレーム５０に対してネジ８１１ａ、８１２ａ等により固定されている。かかる上板部分８１１および下板部分８１２については、金属製や樹脂製等、各種材質のものを用いることができるが、本形態において、上板部分８１１および下板部分８１２は金属板からなる。
【００４９】
ここで、ダクト８１０には、第１電気光学モジュール１０（Ｂ）が収容された第１通路８１３と、第２電気光学モジュール１０（Ｇ）が収容された第２通路８１４と、第３電気光学モジュール１０（Ｒ）が収容された第３通路８１５とが構成されている。また、ダクト８１０において、第１通路８１３と第２通路８１４とは９０°の角度で通路が屈曲する連結部８１６によって繋がっており、第２通路８１４と第３通路８１５とは９０°の角度で通路が屈曲する連結部８１７によって繋がっている。また、ダクト８１０の両端部には、冷却空気入口８１８および冷却空気出口８１９が設けられている。第１通路８１３、第２通路８１４、および第３通路８１５には、光入射用および光出射用の開口部８１３ａ、８１４ａ、８１５ａと、フレキシブル配線基板４０ｉを引き出すスリット状の開口部（図示せず）が形成されている。
【００５０】
このように構成したダクト８１０の内部において、例えば、図７（ｂ）、（ｃ）に示す第１通路８１３では、第１電気光学モジュール１０（Ｂ）の両面に上板部分８１１および下板部分８１２が当接しているが、第１電気光学モジュール１０（Ｂ）の上端部分と上板部分８１１との間、および第１電気光学モジュール１０（Ｂ）の下端部分と下板部分８１２との間には、十分な隙間８１１ｅ、８１２ｅが空いている。他の通路（第２通路８１４および第３通路８１５）も同様な構造になっている。
【００５１】
このため、ダクト８１０の冷却空気入口８１８から冷却空気が導入されると、第１通路８１３において隙間８１１ｅ、８１２ｅを冷却空気が通過する際、第１電気光学モジュール１０（Ｂ）が冷却される。そして、第１電気光学モジュール１０（Ｂ）を冷却した後の冷却空気は、連結部８１６にガイドされて第２通路８１４に導かれ、第２電気光学モジュール１０（Ｇ）が冷却される。そして、第２電気光学モジュール１０（Ｇ）を冷却した後の冷却空気は、連結部８１７にガイドされて第３通路８１５に導かれ、第３電気光学モジュール１０（Ｒ）が冷却される。しかる後に、冷却空気出口８１９から排出される。
【００５２】
なお、本形態では、図７（ｃ）に示すように、ダクト８１０の内部には、冷却空気を第１電気光学モジュール１０（Ｂ）、第２電気光学モジュール１０（Ｇ）、および第３電気光学モジュール１０（Ｒ）に向けて導くガイド板８１１ｆ、８１２ｆが設けられており、冷却空気は、第１電気光学モジュール１０（Ｂ）、第２電気光学モジュール１０（Ｇ）、および第３電気光学モジュール１０（Ｒ）に向けて効率よく導かれる。
【００５３】
以上説明したように、本形態の光学ユニット９は、第１電気光学モジュール１０（Ｂ）、第２電気光学モジュール１０（Ｇ）、および第３電気光学モジュール１０（Ｒ）に加えて、第１電気光学モジュール１０（Ｂ）、第２電気光学モジュール１０（Ｇ）、および第３電気光学モジュール１０（Ｒ）に連結して第１電気光学モジュール１０（Ｂ）、第２電気光学モジュール１０（Ｇ）、および第３電気光学モジュール１０（Ｒ）を冷却するダクト８１０からなる冷却部材８００を有している。このため、冷却部材８００（ダクト８１０）は、第１電気光学モジュール１０（Ｂ）、第２電気光学モジュール１０（Ｇ）、および第３電気光学モジュール１０（Ｒ）を冷却して温度上昇を低く抑えるとともに、第１電気光学モジュール１０（Ｂ）、第２電気光学モジュール１０（Ｇ）、および第３電気光学モジュール１０（Ｒ）の温度を均等化する。従って、液晶パネル４０（Ｂ）、４０（Ｇ）、４０（Ｒ）において温度上昇に起因する変調特性の変化が発生しても、かかる変化は、液晶パネル４０（Ｂ）、４０（Ｇ）、４０（Ｒ）において同等である。それ故、液晶パネル４０（Ｂ）、４０（Ｇ）、４０（Ｒ）で変調された光をプリズムユニット２０で合成して投射レンズユニット６を介して投射した際、液晶パネル４０（Ｂ）、４０（Ｇ）、４０（Ｒ）の温度上昇に起因する表示品位の低下を防止することができる。
【００５４】
また、ダクト８１０は金属板からなるため、ダクト８１０は放熱部材としても機能する。従って、光学ユニット９における放熱面積が広いため、第１電気光学モジュール１０（Ｂ）、第２電気光学モジュール１０（Ｇ）、および第３電気光学モジュール１０（Ｒ）の温度上昇を低く抑えることができる。
【００５５】
さらに、冷却部材８００（ダクト８１０）は、第１電気光学モジュール１０（Ｂ）、第２電気光学モジュール１０（Ｇ）、および第３電気光学モジュール１０（Ｒ）の全てに連結しているため、第１電気光学モジュール１０（Ｂ）、第２電気光学モジュール１０（Ｇ）、および第３電気光学モジュール１０（Ｒ）の温度を確実に均等化することができる。
【００５６】
［実施の形態１の変形例１］
図８は、本発明の実施の形態１の変形例１に係る光学ユニット９の説明図である。なお、本形態の基本的な構成は、実施の形態１と略同様であるため、共通する部分には、同一の符号を付してそれらの説明を省略する。
【００５７】
図８に示す光学ユニット９においても、実施の形態１と同様、第１電気光学モジュール１０（Ｂ）、第２電気光学モジュール（Ｇ）および第３電気光学モジュール（Ｒ）に連結されたダクト８１０からなる冷却部材８００が設けられており、ダクト８１０の内部には、図１に示す吸気ファン１５Ｂ等により、図８に矢印Ａで示す冷却空気が流れるようになっている。
【００５８】
本形態においても、実施の形態１と同様、ダクト８１０は、第１電気光学モジュール１０（Ｂ）、第２電気光学モジュール１０（Ｇ）および第３電気光学モジュール１０（Ｒ）に対して上下方向から被さる上板部分８１１と下板部分８１２とから構成されており、上板部分８１１および下板部分８１２は各々、第１電気光学モジュール１０（Ｂ）、第２電気光学モジュール１０（Ｇ）および第３電気光学モジュール１０（Ｒ）に用いたフレーム５０に対してネジ８１１ａ、８１２ａ等により固定されている。かかる上板部分８１１および下板部分８１２については、金属製や樹脂製等、各種材質のものを用いることができるが、本形態において、上板部分８１１および下板部分８１２は金属板からなる。また、ダクト８１０には、第１電気光学モジュール１０（Ｂ）が収容された第１通路８１３と、第２電気光学モジュール１０（Ｇ）が収容された第２通路８１４と、第３電気光学モジュール１０（Ｒ）が収容された第３通路８１５とが構成されている。また、ダクト８１０において、第１通路８１３と第２通路８１４とは９０°の角度で通路が屈曲する連結部８１６によって繋がっており、第２通路８１４と第３通路８１５とは９０°の角度で通路が屈曲する連結部８１７によって繋がっている。
【００５９】
かかる構成の光学ユニット９において、本形態では、ダクト８１０は、第２通路８１４において、第１ダクト８２１（第１冷却部材）と第２ダクト８２２（第２冷却部材）に分割されている。より具体的には、ダクト８１０は、冷却空気入口８１８、第１通路８１３、連結部８１６、および第２通路８１４において連結部８１６に連接する部分からなる第１ダクト８２１と、冷却空気出口８１９、第３通路８１５、連結部８１７、および第２通路８１４において連結部８１７に連接する部分からなる第２ダクト８２２とを備えている。従って、ダクト８１０は、第１電気光学モジュール１０（Ｂ）および第２電気光学モジュール１０（Ｇ）に連結する第１ダクト８２１と、第２電気光学モジュール１０（Ｇ）および第３電気光学モジュール１０（Ｒ）に連結する第２ダクト８２２とからなる。
【００６０】
このように構成したダクト８１０においても、実施の形態１と同様、ダクト８１０の冷却空気入口８１８から冷却空気が導入されると、第１通路８１３において隙間８１１ｅ、８１２ｅを冷却空気が通過する際、第１電気光学モジュール１０（Ｂ）が冷却される。そして、第１電気光学モジュール１０（Ｂ）を冷却した後の冷却空気は、連結部８１６にガイドされて第２通路８１４に導かれ、第２電気光学モジュール１０（Ｇ）が冷却される。そして、第２電気光学モジュール１０（Ｇ）を冷却した後の冷却空気は、連結部８１７にガイドされて第３通路８１５に導かれ、第３電気光学モジュール１０（Ｒ）が冷却される。しかる後に、冷却空気出口８１９から排出される。
【００６１】
このため、冷却部材８００（ダクト８１０）において、第１ダクト８２１は、第１電気光学モジュール１０（Ｂ）および第２電気光学モジュール１０（Ｇ）を冷却して温度上昇を低く抑えるとともに、第１電気光学モジュール１０（Ｂ）および第２電気光学モジュール１０（Ｇ）の温度を均等化する。また、第２ダクト８２２は、第２電気光学モジュール１０（Ｇ）および第３電気光学モジュール１０（Ｒ）を冷却して温度上昇を低く抑えるとともに、第２電気光学モジュール１０（Ｇ）および第３電気光学モジュール１０（Ｒ）の温度を均等化する。その結果、冷却部材８００（ダクト８１０）は、第１電気光学モジュール１０（Ｂ）、第２電気光学モジュール１０（Ｇ）、および第３電気光学モジュール１０（Ｒ）を冷却して温度上昇を低く抑えるとともに、第１電気光学モジュール１０（Ｂ）、第２電気光学モジュール１０（Ｇ）、および第３電気光学モジュール１０（Ｒ）の温度を均等化する。従って、液晶パネル４０（Ｂ）、４０（Ｇ）、４０（Ｒ）において温度上昇に起因する変調特性の変化が発生しても、かかる変化は、液晶パネル４０（Ｂ）、４０（Ｇ）、４０（Ｒ）において同等である。それ故、液晶パネル４０（Ｂ）、４０（Ｇ）、４０（Ｒ）で変調された光をプリズムユニット２０で合成して投射レンズユニット６を介して投射した際、液晶パネル４０（Ｂ）、４０（Ｇ）、４０（Ｒ）の温度上昇に起因する表示品位の低下を防止することができる等、実施の形態１と同様な効果を奏する。
【００６２】
さらに、本形態において、ダクト８１０は金属板からなるため、ダクト８１０は放熱部材としても機能する。従って、第１電気光学モジュール１０（Ｂ）、第２電気光学モジュール１０（Ｇ）、および第３電気光学モジュール１０（Ｒ）の温度上昇を低く抑えることができる。
【００６３】
［実施の形態１の変形例２］
図９は、本発明の実施の形態１の変形例２に係る光学ユニット９の説明図であり、図９（ａ）、（ｂ）はその分解斜視図、および斜視図である。なお、本形態の基本的な構成は、実施の形態１と略同様であるため、共通する部分には、同一の符号を付してそれらの説明を省略する。
【００６４】
上記実施の形態１およびその変形例１では、第１ダクト８２１および第２ダクト８２２の内側に第１電気光学モジュール１０（Ｂ）、第２電気光学モジュール（Ｇ）および第３電気光学モジュール（Ｒ）が配置されていたが、図９に示すように、本形態では、フレーム５０の内側をダクト８１０（冷却部材）の一部として利用する。
【００６５】
より具体的には、図９（ａ）に示すように、第１電気光学モジュール１０（Ｂ）、第２電気光学モジュール（Ｇ）および第３電気光学モジュール（Ｒ）においてフレーム５０において相対向する側板部には、フレーム５０内の空間に連通する穴５０ａが開口している。また、第１電気光学モジュール１０（Ｂ）のフレーム５０と、第２電気光学モジュール（Ｇ）のフレーム５０との間には、第１冷却部材としての第１ダクト８２６がネジ８１０ａ等により連結され、第２電気光学モジュール１０（Ｇ）のフレーム５０と、第３電気光学モジュール（Ｒ）のフレーム５０との間には、第２冷却部材としての第２ダクト８２７がネジ８１０ａ等により連結されている。なお、第１電気光学モジュール１０（Ｂ）のフレーム５０において第１ダクト８２６が連結されている側とは反対側には冷却空気入口８２８が連結され、第３電気光学モジュール１０（Ｒ）のフレーム５０において第２ダクト８２７が連結されている側とは反対側には冷却空気出口８２９が連結されている。
【００６６】
このように構成した光学ユニット９においても、実施の形態１と同様、ダクト８１０の冷却空気入口８２８から冷却空気が導入されると、第１電気光学モジュール１０（Ｂ）の内部に冷却空気が供給され、第１電気光学モジュール１０（Ｂ）が冷却される。そして、第１電気光学モジュール１０（Ｂ）を冷却した後の冷却空気は、第１ダクト８２６にガイドされて第２電気光学モジュール１０（Ｇ）の内部に導かれ、第２電気光学モジュール１０（Ｇ）が冷却される。そして、第２電気光学モジュール１０（Ｇ）を冷却した後の冷却空気は、第２ダクト８２７にガイドされて第３電気光学モジュール１０（Ｒ）の内部に導かれ、第３電気光学モジュール１０（Ｒ）が冷却される。しかる後に、冷却空気は冷却空気出口８２９から排出される。
【００６７】
このため、冷却部材８００（ダクト８１０）において、第１ダクト８２６は、第１電気光学モジュール１０（Ｂ）および第２電気光学モジュール１０（Ｇ）の温度を均等化する。また、第２ダクト８２７は、第２電気光学モジュール１０（Ｇ）および第３電気光学モジュール１０（Ｒ）の温度を均等化する。その結果、第１電気光学モジュール１０（Ｂ）、第２電気光学モジュール１０（Ｇ）、および第３電気光学モジュール１０（Ｒ）の温度が均等化される。従って、液晶パネル４０（Ｂ）、４０（Ｇ）、４０（Ｒ）において温度上昇に起因する変調特性の変化が発生しても、かかる変化は、液晶パネル４０（Ｂ）、４０（Ｇ）、４０（Ｒ）において同等である。それ故、液晶パネル４０（Ｂ）、４０（Ｇ）、４０（Ｒ）で変調された光をプリズムユニット２０で合成して投射レンズユニット６を介して投射した際、液晶パネル４０（Ｂ）、４０（Ｇ）、４０（Ｒ）の温度上昇に起因する表示品位の低下を防止することができる等、実施の形態１と同様な効果を奏する。
【００６８】
さらに、本形態において、第１ダクト８２６および第２ダクト８２７は金属板からなるため、第１ダクト８２６および第２ダクト８２７は放熱部材としても機能する。従って、第１電気光学モジュール１０（Ｂ）、第２電気光学モジュール１０（Ｇ）、および第３電気光学モジュール１０（Ｒ）の温度上昇を低く抑えることができる。
【００６９】
［実施の形態１の変形例３］
上記実施の形態１、および変形例１、２に用いたダクト８１０にフィンを設けて、ダクト８１０が放熱部材として機能するように構成してもよい。また、変形例１、２に用いたダクト８１０にペルチェ素子を設けて、ダクト８１０が冷却体として機能するように構成してもよい。
【００７０】
［実施の形態２］
図１０は、本発明の実施の形態２に係る光学ユニット９の説明図であり、図１０（ａ）、（ｂ）は、冷却部材が１つの部材からなる構成例の説明図、および冷却部材が２つの部材（第１冷却部材および第２冷却部材）からなる構成例の説明図である。
【００７１】
上記実施の形態１、および変形例１〜３では、冷却部材８００としてダクト８１０を用いたが、本形態では、図１０に示すように、冷却部材８００として、複数枚のフィン８３０ａを備えた放熱部材８３０が用いられている。より具体的には、図１０（ａ）に示す光学ユニット９では、第１電気光学モジュール１０（Ｂ）、第２電気光学モジュール１０（Ｇ）、および第３電気光学モジュール１０（Ｒ）に放熱部材８３０（冷却部材８００）がネジ８３０ｅ等により連結されており、放熱部材８３０は、第１電気光学モジュール１０（Ｂ）、第２電気光学モジュール１０（Ｇ）、および第３電気光学モジュール１０（Ｒ）の全てに対してフレーム５０の上端部にネジ８３０ｅ等により連結されている。かかる構成によれば、放熱部材８３０（冷却部材８００）は、第１電気光学モジュール１０（Ｂ）、第２電気光学モジュール１０（Ｇ）、および第３電気光学モジュール１０（Ｒ）の放熱を高めて温度上昇を低く抑えるとともに、第１電気光学モジュール１０（Ｂ）、第２電気光学モジュール１０（Ｇ）、および第３電気光学モジュール１０（Ｒ）の温度を均等化する等、実施の形態１と略同様な効果を奏する。
【００７２】
また、図１０（ｂ）に示す光学ユニット９において、放熱部材８３０（冷却部材８００）は、第１電気光学モジュール１０（Ｂ）および第２電気光学モジュール１０（Ｇ）にネジ８３０ｅ等により連結された第１放熱部材８３１（第１冷却部材）と、第２電気光学モジュール１０（Ｇ）および第３電気光学モジュール１０（Ｒ）にネジ８３０ｅ等により連結された第２放熱部材８３２（第２冷却部材）とからなる。かかる構成によれば、第１放熱部材８３１は、第１電気光学モジュール１０（Ｂ）および第２電気光学モジュール１０（Ｇ）の温度を均等化するとともに、第２放熱部材８３２は、第２電気光学モジュール１０（Ｇ）および第３電気光学モジュール１０（Ｒ）の温度を均等化する。従って、第１電気光学モジュール１０（Ｂ）、第２電気光学モジュール１０（Ｇ）、および第３電気光学モジュール１０（Ｒ）の温度が均等化されるので、実施の形態１と略同様な効果を奏する。
【００７３】
なお、放熱部材８３０は、フレーム５０の上端部に限らず、下端部に連結された構成、下端部および上端部の双方に連結された構成、フレーム５０の光入射側の面や光出射側の面に連結された構成を採用してもよい。
【００７４】
［実施の形態３］
図１１は、本発明の実施の形態３に係る光学ユニット９の説明図であり、図１１（ａ）、（ｂ）は、冷却部材が１つの部材からなる構成例の説明図、および冷却部材が２つの部材（第１冷却部材および第２冷却部材）からなる構成例の説明図である。
【００７５】
上記実施の形態１、および変形例１〜３では、冷却部材８００としてダクト８１０を用いたが、本形態では、図１１に示すように、冷却部材８００として、ペルチェ素子８４０ａを備えた冷却体８４０が用いられている。より具体的には、図１１（ａ）に示す光学ユニット９では、第１電気光学モジュール１０（Ｂ）、第２電気光学モジュール１０（Ｇ）、および第３電気光学モジュール１０（Ｒ）に共通の冷却体８４０（冷却部材８００）が連結されており、冷却体８４０は、第１電気光学モジュール１０（Ｂ）、第２電気光学モジュール１０（Ｇ）、および第３電気光学モジュール１０（Ｒ）の全てに対してフレーム５０にネジ８４０ｅ等により連結されている。かかる構成によれば、冷却体８４０（冷却部材８００）は、第１電気光学モジュール１０（Ｂ）、第２電気光学モジュール１０（Ｇ）、および第３電気光学モジュール１０（Ｒ）を冷却して温度上昇を低く抑えるとともに、第１電気光学モジュール１０（Ｂ）、第２電気光学モジュール１０（Ｇ）、および第３電気光学モジュール１０（Ｒ）の温度を均等化する等、実施の形態１と略同様な効果を奏する。
【００７６】
また、図１１（ｂ）に示す光学ユニット９において、冷却体８４０（冷却部材８００）は、第１電気光学モジュール１０（Ｂ）および第２電気光学モジュール１０（Ｇ）にネジ８４０ｅ等により連結された第１冷却体８４１（第１冷却部材）と、第２電気光学モジュール１０（Ｇ）および第３電気光学モジュール１０（Ｒ）にネジ８４０ｅ等により連結された第２冷却体８４２（第２冷却部材）とからなる。かかる構成によれば、第１冷却体８４１は、第１電気光学モジュール１０（Ｂ）および第２電気光学モジュール１０（Ｇ）を冷却してそれらの温度を均等化するとともに、第２冷却体８４２は、第２電気光学モジュール１０（Ｇ）および第３電気光学モジュール１０（Ｒ）を冷却してそれらの温度を均等化する。従って、第１電気光学モジュール１０（Ｂ）、第２電気光学モジュール１０（Ｇ）、および第３電気光学モジュール１０（Ｒ）の温度が均等化されるので、実施の形態１と略同様な効果を奏する。
【００７７】
なお、冷却体８４０は、フレーム５０の光入射側の面に連結された構成に限らず、フレーム５０の上端部、下端部に連結された構成、下端部および上端部の双方に連結された構成、フレーム５０の光出射側の面に連結された構成を採用してもよい。
【００７８】
［実施の形態４］
図１２は、本発明の実施の形態４に係る光学ユニット９の説明図である。上記実施の形態１〜３等において、冷却部材８００をフレーム５０の光出射側の面に連結する場合、フレーム５０の近傍にプリズムユニット２０が位置するため、スペース的な余裕がない場合が多い。このような場合、フレーム５０の光出射側の面に凹部５０ｃを設ける一方、冷却部材８００には凹部５０ｃに嵌る板状部８５１を設けることが好ましい。かかる構成によれば、板状部８５１を介して、フレーム５０に冷却部材８００を連結しても、フレーム５０の光出射側の面で冷却部材８００が余計な凸部を形成しないという利点がある。
【００７９】
［他の実施の形態］
上記実施の形態では、投射型表示装置として投射像を観察する方向から投射を行う前面投射型表示装置を例示したが、投射像を観察する方向とは反対側から投射を行う背面投射型表示装置に用いる投射型表示装置に本発明を適用してもよい。
【００８０】
上記実施の形態では、透過型の液晶パネルを３つ備えた光学ユニット９を例示したが、反射型の液晶パネルを３つ備えた光学ユニットや、かかる光学ユニットを備えた投射型表示装置に本発明を適用してもよい。
【符号の説明】
【００８１】
１・・投射型表示装置、９・・光学ユニット、１０（Ｂ）・・第１電気光学モジュール、１０（Ｇ）・・第２電気光学モジュール、１０（Ｒ）・・第３電気光学モジュール、２０・・プリズムユニット（プリズム）、４０（Ｂ）・・液晶パネル（第１液晶パネル）、４０（Ｇ）・・液晶パネル（第２液晶パネル）、４０（Ｒ）・・液晶パネル（第３液晶パネル）、８００・・冷却部材、８１０・・ダクト（冷却部材）、８２１、８２６・・第１ダクト（第１冷却部材）、８２２、８２７・・第２ダクト（第２冷却部材）、８３０・・放熱部材（冷却部材）、８３０ａ・・フィン、８３１・・第１放熱部材（第１冷却部材）、８３２・・第２放熱部材（第２冷却部材）、８４０・・冷却体（冷却部材）、８４０ａ・・ペルチェ素子、８４１・・第１冷却体（第１冷却部材）、８４２・・第２冷却体（第２冷却部材）
【図１】
2012088590.tif 000003
【図２】
2012088590.tif 000004
【図３】
2012088590.tif 000005
【図４】
2012088590.tif 000006
【図５】
2012088590.tif 000007
【図６】
2012088590.tif 000008
【図７】
2012088590.tif 000009
【図８】
2012088590.tif 000010
【図９】
2012088590.tif 000011
【図１０】
2012088590.tif 000012
【図１１】
2012088590.tif 000013
【図１２】
2012088590.tif 000014